(57)【要約】  本開示は、通信技術分野に係り、短縮ＴＴＩ伝送の電力制御方法、装置、システムおよび記憶媒体を提供することによって、短縮ＴＴＩ伝送に対し新規の過渡期の定義を導入することを避け、従来の３ＧＰＰ  ３６．１０１プロトコルで定義されている時間テンプレートで動作して電力測定を可能にすることを保証する。本開示は、１つのサブフレームに複数の短縮ＴＴＩ伝送が含まれる場合、前記サブフレームでの処理対象に対応する第１目標送信電力を特定することと、前記処理対象に対応する第１目標送信電力に基づいて、前記処理対象内の短縮ＴＴＩ伝送を送信することとを含む。【選択図】  図３
2019527980.tif 000002
【特許請求の範囲】
【請求項１】
１つのサブフレームに複数の短縮伝送時間間隔（ＴＴＩ）伝送が含まれる場合、前記サブフレームでの処理対象に対応する第１目標送信電力を特定することと、
前記処理対象に対応する第１目標送信電力に基づいて、前記処理対象内の短縮ＴＴＩ伝送を送信することとを含む短縮ＴＴＩ伝送の電力制御方法。
【請求項２】
前記サブフレームでの処理対象に対応する第１目標送信電力を特定することは、
前記処理対象内の１つ目の短縮ＴＴＩ伝送の目標送信電力を特定することと、
前記処理対象内の１つ目の短縮ＴＴＩ伝送の目標送信電力を、前記処理対象に対応する第１目標送信電力として特定することとを含む請求項１に記載の方法。
【請求項３】
前記サブフレームでの処理対象に対応する第１目標送信電力を特定することは、
前記処理対象内のすべての短縮ＴＴＩ伝送の目標送信電力を特定することと、
前記処理対象内のすべての短縮ＴＴＩ伝送の目標送信電力のうちの最大値または最小値または平均値を、前記処理対象に対応する第１目標送信電力として特定することとを含む請求項１に記載の方法。
【請求項４】
前記サブフレームでの処理対象に対応する第１目標送信電力を特定することは、
前記処理対象内の各短縮ＴＴＩ伝送の電力割当プライオリティに基づいて、前記処理対象に対応する第１目標送信電力を特定することを含む請求項１に記載の方法。
【請求項５】
前記電力割当プライオリティは、チャネルプライオリティ、アップリンク制御情報ＵＣＩタイププライオリティ、サービスタイププライオリティのいずれかまたはその組み合わせを含む請求項４に記載の方法。
【請求項６】
前記処理対象内の各短縮ＴＴＩ伝送の電力割当プライオリティに基づいて、前記処理対象に対応する第１目標送信電力を特定することは、
前記処理対象内の最大または最小電力割当プライオリティの短縮ＴＴＩ伝送の目標送信電力を、前記処理対象に対応する第１目標送信電力とすることを含む請求項４に記載の方法。
【請求項７】
同一電力割当プライオリティの短縮ＴＴＩ伝送が複数存在する場合、前記処理対象内の最大または最小電力割当プライオリティの短縮ＴＴＩ伝送の目標送信電力を、前記処理対象に対応する第１目標送信電力とすることは、
最大または最小電力割当プライオリティの短縮ＴＴＩ伝送のうち最大目標送信電力を、前記処理対象に対応する第１目標送信電力とすることを含む請求項６に記載の方法。
【請求項８】
前記電力割当プライオリティが前記チャネルプライオリティである場合、
ｓＰＵＳＣＨのプライオリティは、ｓＰＵＣＣＨのプライオリティより高く、
または、ｓＰＵＣＣＨのプライオリティは、ｓＰＵＳＣＨのプライオリティより高く、
または、帯域幅の大きいチャネルのプライオリティは、帯域幅の小さいチャネルのプライオリティより高い請求項５に記載の方法。
【請求項９】
前記電力割当プライオリティが前記アップリンク制御情報（ＵＣＩ）タイププライオリティである場合、
ＵＣＩを含むチャネルのプライオリティは、ＵＣＩを含まないチャネルのプライオリティより高く、
ここで、前記ＵＣＩを含むチャネルには、アップリンクスケジューリングリクエスト（ＳＲ）および／または肯定確認／否定確認（ＡＣＫ／ＮＡＣＫ）を含むチャネルのプライオリティは、周期的チャネル状態情報（ＣＳＩ）を含むチャネルのプライオリティより高い請求項５に記載の方法。
【請求項１０】
電力割当プライオリティが前記サービスタイププライオリティである場合、
サービス品質（Ｑｏｓ）の高いサービスタイプまたは遅延要求の高いサービスタイプのプライオリティが高い請求項５に記載の方法。
【請求項１１】
前記電力割当プライオリティがチャネルプライオリティとＵＣＩタイププライオリティの組み合わせである場合、
ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高く、
または、ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い請求項５に記載の方法。
【請求項１２】
前記目標送信電力は、該当する短縮ＴＴＩ伝送に対応する電力制御パラメータに基づいて特定された送信電力である請求項２、３、６、７のいずれか一項に記載の方法。
【請求項１３】
複数の短縮ＴＴＩ伝送が時間領域でオーバーラップしまたは一部オーバーラップする場合、前記目標送信電力は、端末の最大送信電力によって、時間領域でオーバーラップする複数の短縮ＴＴＩ伝送の目標送信電力を調整した目標送信電力であり、
または、複数の短縮ＴＴＩ伝送が周波数領域で同一搬送波または異なる搬送波で周波数分割伝送される場合、前記目標送信電力は、チャネルプライオリティおよび／またはサービスプライオリティに基づいて選択した１つの短縮ＴＴＩ伝送の目標送信電力である請求項１２に記載の方法。
【請求項１４】
前記処理対象に対応する第１目標送信電力に基づいて、前記処理対象内の短縮ＴＴＩ伝送を送信することは、
前記処理対象内のすべての短縮ＴＴＩ伝送に対し、直接前記第１目標送信電力で前記短縮ＴＴＩ伝送を送信することを含む請求項１〜１１のいずれか一項に記載の方法。
【請求項１５】
前記処理対象に対応する第１目標送信電力に基づいて、前記処理対象内の短縮ＴＴＩ伝送を送信することは、
前記処理対象内の各短縮ＴＴＩ伝送の目標送信電力を特定することと、
前記各短縮ＴＴＩ伝送の目標送信電力をそれぞれ前記第１目標送信電力と比較することと、
前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくすることと、
調整後の前記第１短縮ＴＴＩ伝送の目標送信電力で前記第１短縮ＴＴＩ伝送を送信することとを含む請求項１〜１１のいずれか一項に記載の方法。
【請求項１６】
前記第１短縮ＴＴＩ伝送の目標送信電力を調整することは、
前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくすることと、
前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくすることとを含む請求項１５に記載の方法。
【請求項１７】
前記サブフレームでの処理対象は、前記サブフレームである請求項１〜１１のいずれか一項に記載の方法。
【請求項１８】
前記サブフレームでの処理対象は、前記サブフレーム内の任意の期間であり、
前記サブフレームでの処理対象に対応する第１目標送信電力を特定する前に、
前記サブフレームに含まれる複数の短縮ＴＴＩ伝送には、時間的に連続する短縮ＴＴＩ伝送が存在するかを特定することと、
前記サブフレームには、時間的に連続しない短縮ＴＴＩ伝送が存在する場合、前記サブフレームを少なくとも２つの期間に区分することとをさらに含み、
各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する請求項１〜１１のいずれか一項に記載の方法。
【請求項１９】
前記処理対象に対応する第１目標送信電力を特定する前に、
電力調整方式を指示することに用いられる配置情報を受信することをさらに含み、
前記処理対象に対応する第１目標送信電力を特定することは、具体的に、
前記電力調整方式を指示することに用いられる配置情報に基づいて、前記処理対象に対応する第１目標送信電力を特定することである請求項１〜１１のいずれか一項に記載の方法。
【請求項２０】
前記短縮ＴＴＩ伝送は、ｓＰＵＳＣＨおよび／またはｓＰＵＣＣＨおよび／またはサウンディング参照信号（ＳＲＳ）を含む請求項１〜１１のいずれか一項に記載の方法。
【請求項２１】
１つのサブフレームに複数の短縮伝送時間間隔ＴＴＩ伝送が含まれる場合、前記サブフレームでの処理対象に対応する第１目標送信電力を特定することに用いられる特定モジュールと、
前記処理対象に対応する第１目標送信電力に基づいて、前記処理対象内の短縮ＴＴＩ伝送を送信することに用いられる送信モジュールとを含む短縮ＴＴＩ伝送の電力制御装置。
【請求項２２】
前記特定モジュールは、
前記処理対象内の１つ目の短縮ＴＴＩ伝送の目標送信電力を特定することに用いられる第１特定サブモジュールと、
前記処理対象内の１つ目の短縮ＴＴＩ伝送の目標送信電力を、前記処理対象に対応する第１目標送信電力として特定することに用いられる第２特定サブモジュールとを含む請求項２１に記載の装置。
【請求項２３】
前記特定モジュールは、
前記処理対象内のすべての短縮ＴＴＩ伝送の目標送信電力を特定することに用いられる第３特定サブモジュールと、
前記処理対象内のすべての短縮ＴＴＩ伝送の目標送信電力のうちの最大値または最小値または平均値を、前記処理対象に対応する第１目標送信電力として特定することに用いられる第４特定サブモジュールとを含む請求項２１に記載の装置。
【請求項２４】
前記特定モジュールは、具体的に、
前記処理対象内の各短縮ＴＴＩ伝送の電力割当プライオリティに基づいて、前記処理対象に対応する第１目標送信電力を特定することに用いられる請求項２１に記載の装置。
【請求項２５】
前記電力割当プライオリティは、チャネルプライオリティ、アップリンク制御情報（ＵＣＩ）タイププライオリティ、サービスタイププライオリティのいずれかまたはその組み合わせを含む請求項２４に記載の装置。
【請求項２６】
前記特定モジュールは、具体的に、
前記処理対象内の最大または最小電力割当プライオリティの短縮ＴＴＩ伝送の目標送信電力を、前記処理対象に対応する第１目標送信電力とすることに用いられる請求項２４に記載の装置。
【請求項２７】
同一電力割当プライオリティの短縮ＴＴＩ伝送が複数存在する場合、前記特定モジュールは、具体的に、
最大または最小電力割当プライオリティの短縮ＴＴＩ伝送のうち最大目標送信電力を、前記処理対象に対応する第１目標送信電力とすることに用いられる請求項２６に記載の装置。
【請求項２８】
前記電力割当プライオリティが前記チャネルプライオリティである場合、
ｓＰＵＳＣＨのプライオリティは、ｓＰＵＣＣＨのプライオリティより高く、
または、ｓＰＵＣＣＨのプライオリティは、ｓＰＵＳＣＨのプライオリティより高く、
または、帯域幅の大きいチャネルのプライオリティは、帯域幅の小さいチャネルのプライオリティより高い請求項２５に記載の装置。
【請求項２９】
前記電力割当プライオリティが前記アップリンク制御情報（ＵＣＩ）タイププライオリティである場合、
ＵＣＩを含むチャネルのプライオリティは、ＵＣＩを含まないチャネルのプライオリティより高く、
ここで、前記ＵＣＩを含むチャネルには、アップリンクスケジューリングリクエスト（ＳＲ）および／または肯定確認／否定確認（ＡＣＫ／ＮＡＣＫ）を含むチャネルのプライオリティは、周期的チャネル状態情報（ＣＳＩ）を含むチャネルのプライオリティより高い請求項２５に記載の装置。
【請求項３０】
電力割当プライオリティが前記サービスタイププライオリティである場合、
サービス品質（Ｑｏｓ）の高いサービスタイプまたは遅延要求の高いサービスタイプのプライオリティが高い請求項２５に記載の装置。
【請求項３１】
前記電力割当プライオリティがチャネルプライオリティとＵＣＩタイププライオリティの組み合わせである場合、
ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高く、
または、ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い請求項２５に記載の装置。
【請求項３２】
前記目標送信電力は、該当する短縮ＴＴＩ伝送に対応する電力制御パラメータに基づいて特定された送信電力である請求項２２、２３、２６、２７のいずれか一項に記載の装置。
【請求項３３】
複数の短縮ＴＴＩ伝送が時間領域でオーバーラップしまたは一部オーバーラップする場合、前記目標送信電力は、端末の最大送信電力によって、時間領域でオーバーラップする複数の短縮ＴＴＩ伝送の目標送信電力を調整した目標送信電力であり、
または、複数の短縮ＴＴＩ伝送が周波数領域で同一搬送波または異なる搬送波で周波数分割伝送される場合、前記目標送信電力は、チャネルプライオリティおよび／またはサービスプライオリティに基づいて選択した１つの短縮ＴＴＩ伝送の目標送信電力である請求項３２に記載の装置。
【請求項３４】
前記送信モジュールは、具体的に、
前記処理対象内のすべての短縮ＴＴＩ伝送に対し、直接前記第１目標送信電力で前記短縮ＴＴＩ伝送を送信することに用いられる請求項２１〜３１のいずれか一項に記載の装置。
【請求項３５】
前記送信モジュールは、
前記処理対象内の各短縮ＴＴＩ伝送の目標送信電力を特定することに用いられる第５特定サブモジュールと、
前記各短縮ＴＴＩ伝送の目標送信電力をそれぞれ前記第１目標送信電力と比較することに用いられる比較サブモジュールと、
前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくすることに用いられる調整サブモジュールと、
調整後の前記第１短縮ＴＴＩ伝送の目標送信電力で前記第１短縮ＴＴＩ伝送を送信することに用いられる送信サブモジュールとを含む請求項２１〜３１のいずれか一項に記載の装置。
【請求項３６】
前記調整サブモジュールは、具体的に、
前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくすることと、
前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくすることに用いられる請求項３５に記載の装置。
【請求項３７】
前記サブフレームでの処理対象は、前記サブフレームである請求項２１〜３１のいずれか一項に記載の装置。
【請求項３８】
前記サブフレームでの処理対象は、前記サブフレーム内の任意の期間であり、
前記サブフレームに含まれる複数の短縮ＴＴＩ伝送には、時間的に連続する短縮ＴＴＩ伝送が存在するかを特定することに用いられる判断モジュールと、
前記サブフレームには、時間的に連続しない短縮ＴＴＩ伝送が存在する場合、前記サブフレームを少なくとも２つの期間に区分することに用いられる区分モジュールとをさらに含み、
各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する請求項２１〜３１のいずれか一項に記載の装置。
【請求項３９】
電力調整方式を指示することに用いられる配置情報を受信することに用いられる受信モジュールをさらに含み、
前記特定モジュールは、具体的に、
前記電力調整方式を指示することに用いられる配置情報に基づいて、前記処理対象に対応する第１目標送信電力を特定することに用いられる請求項２１〜３１のいずれか一項に記載の装置。
【請求項４０】
前記短縮ＴＴＩ伝送は、ｓＰＵＳＣＨおよび／またはｓＰＵＣＣＨおよび／またはサウンディング参照信号（ＳＲＳ）を含む請求項２１〜３１のいずれか一項に記載の装置。
【請求項４１】
プロセッサと、前記プロセッサの制御でデータを送受信することに用いられるトランシーバを含む短縮ＴＴＩ伝送の電力制御システムにおいて、
前記プロセッサは、
１つのサブフレームに複数の短縮伝送時間間隔（ＴＴＩ）伝送が含まれる場合、前記サブフレームでの処理対象に対応する第１目標送信電力を特定することと、
前記処理対象に対応する第１目標送信電力に基づいて、前記処理対象内の短縮ＴＴＩ伝送を送信することとを実行するように構成される短縮ＴＴＩ伝送の電力制御システム。
【請求項４２】
プロセッサによって実行されることのできるコンピュータ読取可能な指令が格納されている不揮発性のコンピュータ読取可能な記憶媒体であって、
前記コンピュータ読取可能な指令がプロセッサによって実行されると、
前記プロセッサは、
１つのサブフレームに複数の短縮伝送時間間隔（ＴＴＩ）伝送が含まれる場合、前記サブフレームでの処理対象に対応する第１目標送信電力を特定することと、
前記処理対象に対応する第１目標送信電力に基づいて、前記処理対象内の短縮ＴＴＩ伝送を送信することとを実行する不揮発性のコンピュータ読取可能な記憶媒体。
【発明の詳細な説明】
【技術分野】
【０００１】
本開示は、通信技術分野に係り、特に短縮ＴＴＩ伝送の電力制御方法、装置、システムおよび記憶媒体に係る。
【背景技術】
【０００２】
移動通信サービスのニーズの発展と変化に伴い、国際電気通信連合（ＩＴＵ）など、複数の組織から将来の移動通信システムに対し、より高いユーザプレーンの遅延性能要求を定義している。ユーザの遅延性能を短縮させる主要方法の１つは、伝送時間間隔ＴＴＩ（Ｔｒａｎｓｍｉｓｓｉｏｎ  Ｔｉｍｅ  Ｉｎｔｅｒｖａｌ）の長さを小さくすることである。
【０００３】
従来のＬＴＥ（Ｌｏｎｇ  Ｔｅｒｍ  Ｅｖｏｌｕｔｉｏｎ）  ＦＤＤ（Ｆｒｅｑｕｅｎｃｙ  Ｄｉｖｉｓｉｏｎ  Ｄｕｐｌｅｘ）システムにおいて、図１に示す構造のフレーム構造ＦＳ１（ｆｒａｍｅ  ｓｔｒｕｃｔｕｒｅ  ｔｙｐｅ  １）が用いられる。ＦＤＤシステムのアップリンク／ダウンリンク伝送において、異なる搬送波周波数が用いられ、同一のフレーム構造が用いられる。各搬送波において、１つの１０ｍｓの無線フレームは、１０つの１ｍｓのサブフレームを含み、各サブフレームは、２つの０．５ｍｓのスロットに分けられる。アップリンク／ダウンリンクデータ送信のＴＴＩの長さは、１ｍｓである。
【０００４】
従来のＬＴＥ  ＴＤＤ（Ｔｉｍｅ  Ｄｉｖｉｓｉｏｎ  Ｄｕｐｌｅｘ）システムにおいて、図２に示す構造のフレーム構造ＦＳ２（ｆｒａｍｅ  ｓｔｒｕｃｔｕｒｅ  ｔｙｐｅ  ２）が用いられる。図２に示すように、ＴＤＤシステムのアップリンク／ダウンリンク伝送において、同一周波数の異なるサブフレームまたは異なるスロットが用いられる。ＦＳ２において、１０ｍｓの各無線フレームは、２つの５ｍｓのハーフフレームから構成され、各ハーフフレームに５つの１ｍｓのサブフレームが含まれる。ＦＳ２のサブフレームは、ダウンリンクサブフレーム、アップリンクサブフレームおよびスペシャルサブフレームの３種類に分けられ、各スペシャルサブフレームがＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）およびＵｐＰＴＳ（Ｕｐｌｉｎｋ  Ｐｉｌｏｔ  Ｔｉｍｅ  Ｓｌｏｔ）の３部分からなる。各ハーフフレームには、少なくとも１つのダウンリンクサブフレーム、少なくとも１つのアップリンクサブフレームおよび最多で１つのスペシャルサブフレームが含まれる。
【０００５】
短縮ＴＴＩ伝送の典型的な動作方式のひとつとして、ＬＴＥの従来メカニズムで定義されているサブフレーム構造に１ｍｓより短い短縮ＴＴＩ伝送を複数含む。アップリンクにおいて、ｓＰＵＳＣＨ（ｓｈｏｒｔｅｎｅｄ  Ｐｈｙｓｉｃａｌ  Ｕｐｌｉｎｋ  Ｓｈａｒｅｄ  ＣＨａｎｎｅｌ）とｓＰＵＣＣＨ（ｓｈｏｒｔｅｎｅｄ  Ｐｈｙｓｉｃａｌ  Ｕｐｌｉｎｋ  Ｃｏｎｔｒｏｌ  ＣＨａｎｎｅｌ）がサポートされる。短縮ＴＴＩの長さは、２つ、３つ、４つ、７つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）シンボルであるが、もちろん、それ以外の、シンボルの数が１４以下でありまたは時間領域の長さが１ｍｓ以下であることが除外されない。１つのサブフレームには、複数のｓＰＵＳＣＨ、または、複数のｓＰＵＣＣＨ、または、複数のｓＰＵＳＣＨおよびｓＰＵＣＣＨ伝送を含むことができる。
【０００６】
Ｒｅｌ−１３およびその前の３ＧＰＰ  ３６．１０１プロトコルにおいて、安定的な出力電力の測定などに用いられる時間テンプレートが定義されている。そのうち、過渡期（ｔｒａｎｓｉｅｎｔ  ｐｅｒｉｏｄ）は、電力変化およびリソース変化に対し、端末機器自身のホッピング調整時間であり、当該期間中に電力が安定しないため、測定対象とされない。
【０００７】
ＬＴＥシステムにおいて、チャネル伝送は、サブフレームを単位として定義される。ｓＰＵＳＣＨとｓＰＵＣＣＨ伝送が導入されると、１つのサブフレームには、時間領域でＴＤＭ（Ｔｉｍｅ  Ｄｉｖｉｓｉｏｎ  Ｍｕｌｔｉｐｌｅｘｉｎｇ）伝送が行われる複数のｓＰＵＣＣＨ／ｓＰＵＳＣＨが存在する。ｓＰＵＣＣＨ／ｓＰＵＳＣＨの電力がそれぞれ異なる可能性があるため、各短縮ＴＴＩ伝送の間に過渡期の定義を導入して電力調整に用いる必要があり、従来の３ＧＰＰ  ３６．１０１プロトコルで定義されている時間テンプレートで動作することができない。
【発明の概要】
【発明が解決しようとする課題】
【０００８】
これに鑑み、本開示は、短縮ＴＴＩ伝送の電力制御方法および装置を提供することによって、短縮ＴＴＩ伝送に新規の過渡期の定義を導入することが避けられ、従来の３ＧＰＰ  ３６．１０１プロトコルで定義されている時間テンプレートで動作して電力測定を可能にするが保証される。
【課題を解決するための手段】
【０００９】
本開示の短縮ＴＴＩ伝送の電力制御方法において、１つのサブフレームに複数の短縮伝送時間間隔ＴＴＩ伝送が含まれる場合、前記サブフレームでの処理対象に対応する第１目標送信電力を特定することと、前記処理対象に対応する第１目標送信電力に基づいて、前記処理対象内の短縮ＴＴＩ伝送を送信することとを含む。
【００１０】
ここで、前記サブフレームでの処理対象に対応する第１目標送信電力を特定することは、前記処理対象内の１つ目の短縮ＴＴＩ伝送の目標送信電力を特定することと、前記処理対象内の１つ目の短縮ＴＴＩ伝送の目標送信電力を、前記処理対象に対応する第１目標送信電力として特定することとを含む。
【００１１】
ここで、前記サブフレームでの処理対象に対応する第１目標送信電力を特定することは、前記処理対象内のすべての短縮ＴＴＩ伝送の目標送信電力を特定することと、前記処理対象内のすべての短縮ＴＴＩ伝送の目標送信電力のうちの最大値または最小値または平均値を、前記処理対象に対応する第１目標送信電力として特定することとを含む。
【００１２】
ここで、前記サブフレームでの処理対象に対応する第１目標送信電力を特定することは、前記処理対象内の各短縮ＴＴＩ伝送の電力割当プライオリティに基づいて、前記処理対象に対応する第１目標送信電力を特定することを含む。
【００１３】
ここで、前記電力割当プライオリティは、チャネルプライオリティ、アップリンク制御情報ＵＣＩタイププライオリティ、サービスタイププライオリティのいずれかまたはその組み合わせを含む。
【００１４】
ここで、前記処理対象内の各短縮ＴＴＩ伝送の電力割当プライオリティに基づいて、前記処理対象に対応する第１目標送信電力を特定することは、前記処理対象内の最大または最小電力割当プライオリティの短縮ＴＴＩ伝送の目標送信電力を、前記処理対象に対応する第１目標送信電力とすることを含む。
【００１５】
ここで、同一電力割当プライオリティの短縮ＴＴＩ伝送が複数存在する場合、前記処理対象内の最大または最小電力割当プライオリティの短縮ＴＴＩ伝送の目標送信電力を、前記処理対象に対応する第１目標送信電力とすることは、最大または最小電力割当プライオリティの短縮ＴＴＩ伝送のうち最大目標送信電力を、前記処理対象に対応する第１目標送信電力とすることを含む。
【００１６】
ここで、前記電力割当プライオリティが前記チャネルプライオリティである場合、ｓＰＵＳＣＨのプライオリティは、ｓＰＵＣＣＨのプライオリティより高く、または、ｓＰＵＣＣＨのプライオリティは、ｓＰＵＳＣＨのプライオリティより高く、または、帯域幅の大きいチャネルのプライオリティは、帯域幅の小さいチャネルのプライオリティより高い。
【００１７】
ここで、前記電力割当プライオリティが前記アップリンク制御情報ＵＣＩタイププライオリティである場合、ＵＣＩを含むチャネルのプライオリティは、ＵＣＩを含まないチャネルのプライオリティより高い。ここで、前記ＵＣＩを含むチャネルには、アップリンクスケジューリングリクエストＳＲおよび／または肯定確認／否定確認ＡＣＫ／ＮＡＣＫを含むチャネルのプライオリティは、周期的チャネル状態情報ＣＳＩを含むチャネルのプライオリティより高い。
【００１８】
ここで、電力割当プライオリティが前記サービスタイププライオリティである場合、サービス品質Ｑｏｓの高いサービスタイプまたは遅延要求の高いサービスタイプのプライオリティが高い。
【００１９】
ここで、前記電力割当プライオリティがチャネルプライオリティとＵＣＩタイププライオリティの組み合わせである場合、ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高く、または、ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い。
【００２０】
ここで、前記目標送信電力は、該当する短縮ＴＴＩ伝送に対応する電力制御パラメータに基づいて特定された送信電力である。
【００２１】
ここで、複数の短縮ＴＴＩ伝送が時間領域でオーバーラップしまたは一部オーバーラップする場合、前記目標送信電力は、端末の最大送信電力によって、時間領域でオーバーラップする複数の短縮ＴＴＩ伝送の目標送信電力を調整した目標送信電力であり、または、複数の短縮ＴＴＩ伝送が周波数領域で同一搬送波または異なる搬送波で周波数分割伝送される場合、前記目標送信電力は、チャネルプライオリティおよび／またはサービスプライオリティに基づいて選択した１つの短縮ＴＴＩ伝送の目標送信電力である。
【００２２】
ここで、前記処理対象に対応する第１目標送信電力に基づいて、前記処理対象内の短縮ＴＴＩ伝送を送信することは、前記処理対象内のすべての短縮ＴＴＩ伝送に対し、直接前記第１目標送信電力で前記短縮ＴＴＩ伝送を送信することを含む。
【００２３】
ここで、前記処理対象に対応する第１目標送信電力に基づいて、前記処理対象内の短縮ＴＴＩ伝送を送信することは、前記処理対象内の各短縮ＴＴＩ伝送の目標送信電力を特定することと、前記各短縮ＴＴＩ伝送の目標送信電力をそれぞれ前記第１目標送信電力と比較することと、前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくすることと、調整後の前記第１短縮ＴＴＩ伝送の目標送信電力で前記第１短縮ＴＴＩ伝送を送信することとを含む。
【００２４】
ここで、前記第１短縮ＴＴＩ伝送の目標送信電力を調整することは、前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくすることと、前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくすることとを含む。
【００２５】
ここで、前記サブフレームでの処理対象は、前記サブフレームである。
【００２６】
ここで、前記サブフレームでの処理対象は、前記サブフレーム内の任意の期間である。前記方法は、前記サブフレームでの処理対象に対応する第１目標送信電力を特定する前に、さらに、前記サブフレームに含まれる複数の短縮ＴＴＩ伝送には、時間的に連続する短縮ＴＴＩ伝送が存在するかを特定することと、前記サブフレームには、時間的に連続しない短縮ＴＴＩ伝送が存在する場合、前記サブフレームを少なくとも２つの期間に区分することとを含む。各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する。
【００２７】
ここで、前記方法は、前記処理対象に対応する第１目標送信電力を特定する前に、さらに、電力調整方式を指示することに用いられる配置情報を受信することを含む。前記処理対象に対応する第１目標送信電力を特定することは、具体的に、前記電力調整方式を指示することに用いられる配置情報に基づいて、前記処理対象に対応する第１目標送信電力を特定することである。
【００２８】
ここで、前記短縮ＴＴＩ伝送は、ｓＰＵＳＣＨおよび／またはｓＰＵＣＣＨおよび／またはサウンディング参照信号ＳＲＳを含む。
【００２９】
第２態様として、本開示の短縮ＴＴＩ伝送の電力制御装置は、１つのサブフレームに複数の短縮伝送時間間隔ＴＴＩ伝送が含まれる場合、前記サブフレームでの処理対象に対応する第１目標送信電力を特定することに用いられる特定モジュールと、前記処理対象に対応する第１目標送信電力に基づいて、前記処理対象内の短縮ＴＴＩ伝送を送信することに用いられる送信モジュールとを含む。
【００３０】
ここで、前記特定モジュールは、前記処理対象内の１つ目の短縮ＴＴＩ伝送の目標送信電力を特定することに用いられる第１特定サブモジュールと、前記処理対象内の１つ目の短縮ＴＴＩ伝送の目標送信電力を、前記処理対象に対応する第１目標送信電力として特定することに用いられる第２特定サブモジュールとを含む。
【００３１】
ここで、前記特定モジュールは、前記処理対象内のすべての短縮ＴＴＩ伝送の目標送信電力を特定することに用いられる第３特定サブモジュールと、前記処理対象内のすべての短縮ＴＴＩ伝送の目標送信電力のうちの最大値または最小値または平均値を、前記処理対象に対応する第１目標送信電力として特定することに用いられる第４特定サブモジュールとを含む。
【００３２】
ここで、前記特定モジュールは、具体的に、前記処理対象内の各短縮ＴＴＩ伝送の電力割当プライオリティに基づいて、前記処理対象に対応する第１目標送信電力を特定することに用いられる。
【００３３】
ここで、前記電力割当プライオリティは、チャネルプライオリティ、アップリンク制御情報ＵＣＩタイププライオリティ、サービスタイププライオリティのいずれかまたはその組み合わせを含む。
【００３４】
ここで、前記特定モジュールは、具体的に、前記処理対象内の最大または最小電力割当プライオリティの短縮ＴＴＩ伝送の目標送信電力を、前記処理対象に対応する第１目標送信電力とすることに用いられる。
【００３５】
ここで、同一電力割当プライオリティの短縮ＴＴＩ伝送が複数存在する場合、前記特定モジュールは、具体的に、最大または最小電力割当プライオリティの短縮ＴＴＩ伝送のうち最大目標送信電力を、前記処理対象に対応する第１目標送信電力とすることに用いられる。
【００３６】
ここで、前記電力割当プライオリティが前記チャネルプライオリティである場合、ｓＰＵＳＣＨのプライオリティは、ｓＰＵＣＣＨのプライオリティより高く、または、ｓＰＵＣＣＨのプライオリティは、ｓＰＵＳＣＨのプライオリティより高く、または、帯域幅の大きいチャネルのプライオリティは、帯域幅の小さいチャネルのプライオリティより高い。
【００３７】
ここで、前記電力割当プライオリティが前記アップリンク制御情報ＵＣＩタイププライオリティである場合、ＵＣＩを含むチャネルのプライオリティは、ＵＣＩを含まないチャネルのプライオリティより高い。ここで、前記ＵＣＩを含むチャネルには、アップリンクスケジューリングリクエストＳＲおよび／または肯定確認／否定確認ＡＣＫ／ＮＡＣＫを含むチャネルのプライオリティは、周期的チャネル状態情報ＣＳＩを含むチャネルのプライオリティより高い。
【００３８】
ここで、電力割当プライオリティが前記サービスタイププライオリティである場合、サービス品質Ｑｏｓの高いサービスタイプまたは遅延要求の高いサービスタイプのプライオリティが高い。
【００３９】
ここで、前記電力割当プライオリティがチャネルプライオリティとＵＣＩタイププライオリティの組み合わせである場合、ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高く、または、ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い。
【００４０】
ここで、前記目標送信電力は、該当する短縮ＴＴＩ伝送に対応する電力制御パラメータに基づいて特定された送信電力である。
【００４１】
ここで、複数の短縮ＴＴＩ伝送が時間領域でオーバーラップしまたは一部オーバーラップする場合、前記目標送信電力は、端末の最大送信電力によって、時間領域でオーバーラップする複数の短縮ＴＴＩ伝送の目標送信電力を調整した目標送信電力であり、または、複数の短縮ＴＴＩ伝送が周波数領域で同一搬送波または異なる搬送波で周波数分割伝送される場合、前記目標送信電力は、チャネルプライオリティおよび／またはサービスプライオリティに基づいて選択した１つの短縮ＴＴＩ伝送の目標送信電力である。
【００４２】
ここで、前記送信モジュールは、具体的に、前記処理対象内のすべての短縮ＴＴＩ伝送に対し、直接前記第１目標送信電力で前記短縮ＴＴＩ伝送を送信することに用いられる。
【００４３】
ここで、前記送信モジュールは、前記処理対象内の各短縮ＴＴＩ伝送の目標送信電力を特定することに用いられる第５特定サブモジュールと、前記各短縮ＴＴＩ伝送の目標送信電力をそれぞれ前記第１目標送信電力と比較することに用いられる比較サブモジュールと、前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくすることに用いられる調整サブモジュールと、調整後の前記第１短縮ＴＴＩ伝送の目標送信電力で前記第１短縮ＴＴＩ伝送を送信することに用いられる送信サブモジュールとを含む。
【００４４】
ここで、前記調整サブモジュールは、具体的に、前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくすることと、前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくすることに用いられる。
【００４５】
ここで、前記サブフレームでの処理対象は、前記サブフレームである。
【００４６】
ここで、前記サブフレームでの処理対象は、前記サブフレーム内の任意の期間である。前記装置は、前記サブフレームに含まれる複数の短縮ＴＴＩ伝送には、時間的に連続する短縮ＴＴＩ伝送が存在するかを特定することに用いられる判断モジュールと、前記サブフレームには、時間的に連続しない短縮ＴＴＩ伝送が存在する場合、前記サブフレームを少なくとも２つの期間に区分することに用いられる区分モジュールとをさらに含む。各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する。
【００４７】
ここで、前記装置は、電力調整方式を指示することに用いられる配置情報を受信することに用いられる受信モジュールをさらに含む。前記特定モジュールは、具体的に、前記電力調整方式を指示することに用いられる配置情報に基づいて、前記処理対象に対応する第１目標送信電力を特定することに用いられる。
【００４８】
ここで、前記短縮ＴＴＩ伝送は、ｓＰＵＳＣＨおよび／またはｓＰＵＣＣＨおよび／またはサウンディング参照信号ＳＲＳを含む。
【００４９】
第３態様として、本開示の短縮ＴＴＩ伝送の電力制御システムは、プロセッサと、前記プロセッサの制御でデータを送受信することに用いられるトランシーバを含む。前記プロセッサは、１つのサブフレームに複数の短縮伝送時間間隔（ＴＴＩ）伝送が含まれる場合、前記サブフレームでの処理対象に対応する第１目標送信電力を特定することと、前記処理対象に対応する第１目標送信電力に基づいて、前記処理対象内の短縮ＴＴＩ伝送を送信することとを実行するように構成される。
【００５０】
第４態様として、本開示の不揮発性のコンピュータ読取可能な記憶媒体には、プロセッサによって実行されることのできるコンピュータ読取可能な指令が格納されている。前記コンピュータ読取可能な指令がプロセッサによって実行されると、前記プロセッサは、１つのサブフレームに複数の短縮伝送時間間隔（ＴＴＩ）伝送が含まれる場合、前記サブフレームでの処理対象に対応する第１目標送信電力を特定することと、前記処理対象に対応する第１目標送信電力に基づいて、前記処理対象内の短縮ＴＴＩ伝送を送信することとを実行する。
【発明の効果】
【００５１】
本開示の実施例において、処理対象でＴＤＭ伝送が行われる短縮ＴＴＩの間では電力が同一になることを保証するよう、サブフレームでの処理対象に対応する短縮ＴＴＩ伝送の電力制御を行うことによって、処理対象では端末の送信電力が一定に維持することが保証され、短縮ＴＴＩ伝送の間に新規の過渡期を導入することが避けられる。したがって、本開示の実施例によれば、従来の３ＧＰＰ  ３６．１０１プロトコルで定義されている時間テンプレートで動作して電力測定を可能にする。
【図面の簡単な説明】
【００５２】
【図１】関連技術のフレーム構造を示す。
【図２】関連技術の別のフレーム構造を示す。
【図３】本開示の実施例の短縮ＴＴＩ伝送の電力制御方法のフローチャートである。
【図４】本開示の実施例の短縮ＴＴＩ伝送の電力制御方法のフローチャートである。
【図５】本開示の実施例のサブフレームを示す。
【図６】本開示の実施例の短縮ＴＴＩ伝送の電力制御方法のフローチャートである。
【図７】本開示の実施例のサブフレームを示す。
【図８】本開示の実施例の短縮ＴＴＩ伝送の電力制御方法のフローチャートである。
【図９】本開示の実施例のサブフレームを示す。
【図１０】本開示の実施例の短縮ＴＴＩ伝送の電力制御装置を示す。
【図１１】本開示の実施例の短縮ＴＴＩ伝送の電力制御装置の構造図である。
【図１２】本開示の実施例の短縮ＴＴＩ伝送の電力制御装置の別の構造図である。
【発明を実施するための形態】
【００５３】
以下、図面と実施例に関連して本開示の具体的な実施形態をさらに詳細に記載する。以下の実施例は、本開示の説明に用いられるが、本開示の範囲を限定することに用いられない。
【００５４】
本開示の実施例において、従来の３ＧＰＰ  ３６．１０１プロトコルで定義されている時間テンプレートで動作して電力測定を可能にすることが保証されるよう、１つのサブフレームに複数の短縮ＴＴＩ伝送が含まれる場合の各短縮ＴＴＩ伝送の電力制御を行うことによって、各短縮ＴＴＩ伝送の送信電力が同一になることを保証する。
【００５５】
図３に示すように、本開示の実施例の短縮ＴＴＩ伝送の電力制御方法は、端末に応用され、下記ステップを含む。
【００５６】
ステップ３０１において、１つのサブフレームに複数の短縮伝送時間間隔ＴＴＩ伝送が含まれる場合、前記サブフレームでの処理対象に対応する第１目標送信電力を特定する。
【００５７】
本開示の実施例において、前記サブフレームでの処理対象は、当該サブフレームであってもよく、サブフレームに含まれる任意の期間であってもよい。ここで、当該期間は、複数の短縮ＴＴＩ伝送が時間的に連続するかによって区分される。各期間に１つまたは複数の短縮ＴＴＩ伝送を含む。ある期間に複数の短縮ＴＴＩ伝送が含まれると、当該期間内の複数の短縮ＴＴＩ伝送は、時間的に連続する。
【００５８】
ここで、前記短縮ＴＴＩ伝送は、ｓＰＵＳＣＨおよび／またはｓＰＵＣＣＨおよび／またはサウンディング参照信号ＳＲＳ（Ｓｏｕｎｄｉｎｇ  Ｒｅｆｅｒｅｎｃｅ  Ｓｉｇｎａｌ）などを含む。
【００５９】
ここで、第１目標送信電力を特定するには、多種類の方法がある。
【００６０】
方法１：処理対象がサブフレームであることを例とし、本開示の実施例において、下記方式によって第１目標送信電力を特定することができる。
【００６１】
方式１：前記サブフレーム内の１つ目の短縮ＴＴＩ伝送の目標送信電力を特定し、前記サブフレーム内の１つ目の短縮ＴＴＩ伝送の目標送信電力を、前記サブフレームに対応する第１目標送信電力として特定する。
【００６２】
本開示の実施例において、ある短縮ＴＴＩ伝送の目標送信電力は、当該短縮ＴＴＩ伝送に対応する電力制御パラメータに基づいて特定された送信電力である。
【００６３】
例えば、このステップにおいて、前記サブフレーム内の１つ目の短縮ＴＴＩ伝送の目標送信電力を特定する際に、前記１つ目の短縮ＴＴＩ伝送の電力制御パラメータを取得し、それから前記電力制御パラメータに基づいて、前記１つ目の短縮ＴＴＩ伝送の目標送信電力を特定する。
【００６４】
方式２：前記サブフレーム内のすべての短縮ＴＴＩ伝送の目標送信電力を特定し、前記サブフレーム内のすべての短縮ＴＴＩ伝送の目標送信電力のうちの最大値または最小値または平均値を、前記サブフレームに対応する第１目標送信電力として特定する。
【００６５】
このステップにおいて、前記サブフレーム内のすべての短縮ＴＴＩ伝送の目標送信電力を特定する際に、前記サブフレーム内の各短縮ＴＴＩ伝送の電力制御パラメータを取得し、それから前記各短縮ＴＴＩ伝送の電力制御パラメータに基づいて、前記各短縮ＴＴＩ伝送の目標送信電力を特定する。
【００６６】
方式３：前記サブフレーム内の各短縮ＴＴＩ伝送の電力割当プライオリティに基づいて、前記サブフレームに対応する第１目標送信電力を特定する。
【００６７】
ここで、前記電力割当プライオリティは、チャネルプライオリティ、アップリンク制御情報ＵＣＩ（Ｕｐｌｉｎｋ  Ｃｏｎｔｒｏｌ  Ｉｎｆｏｒｍａｔｉｏｎ）タイププライオリティ、サービスタイププライオリティのいずれかまたはその組み合わせを含む。
【００６８】
この方式では、前記サブフレーム内の最大または最小電力割当プライオリティの短縮ＴＴＩ伝送の目標送信電力を、前記処理対象に対応する第１目標送信電力とする。同様に、この方式では、まず、最大または最小電力割当プライオリティの短縮ＴＴＩ伝送を特定し、それからその電力制御パラメータを取得し、当該電力制御パラメータに基づいて、対応する目標送信電力を特定する。
【００６９】
具体的に、前記電力割当プライオリティが前記チャネルプライオリティである場合、ｓＰＵＳＣＨのプライオリティがｓＰＵＣＣＨのプライオリティより高く、または、ｓＰＵＣＣＨのプライオリティがｓＰＵＳＣＨのプライオリティより高く、または、帯域幅の大きいチャネルのプライオリティが帯域幅の小さいチャネルのプライオリティより高いと定義される。
【００７０】
具体的に、前記電力割当プライオリティが前記ＵＣＩタイププライオリティである場合、ＵＣＩを含むチャネルのプライオリティがＵＣＩを含まないチャネルのプライオリティより高いと定義される。ここで、前記ＵＣＩを含むチャネルには、アップリンクスケジューリングリクエストＳＲおよび／またはＡＣＫ／ＮＡＣＫを含むチャネルのプライオリティは、周期的チャネル状態情報ＣＳＩ（Ｃｈａｎｎｅｌ  Ｓｔａｔｅ  Ｉｎｆｏｒｍａｔｉｏｎ）を含むチャネルのプライオリティより高い。
【００７１】
電力割当プライオリティが前記サービスタイププライオリティである場合、サービス品質（Ｑｏｓ）の高いサービスタイプまたは遅延要求の高いサービスタイプのプライオリティが高いと定義される。
【００７２】
または、上記プライオリティは、任意に組み合わせることもできる。例えば、前記電力割当プライオリティがチャネルプライオリティとＵＣＩタイププライオリティの組み合わせである場合、下記のように定義される。
ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い。
ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫ（肯定確認／否定確認）を含むｓＰＵＣＣＨのプライオリティは、周期的ＣＳＩを含むｓＰＵＣＣＨのプライオリティより高い。
【００７３】
ほかのプライオリティの組み合わせも、同様に定義される。
【００７４】
上記の目標送信電力の特定において、複数の短縮ＴＴＩ伝送が時間領域でオーバーラップしまたは一部オーバーラップすると、前記目標送信電力は、端末の最大送信電力によって、時間領域でオーバーラップする複数の短縮ＴＴＩ伝送の目標送信電力を調整した目標送信電力である。または、複数の短縮ＴＴＩ伝送が周波数領域で同一搬送波または異なる搬送波で周波数分割伝送されると、特定された前記目標送信電力は、チャネルプライオリティおよび／またはサービスプライオリティに基づいて選択した１つの短縮ＴＴＩ伝送の目標送信電力である。
【００７５】
方法２：サブフレームに含まれる１つまたは複数の期間を処理対象とし、各期間内の短縮ＴＴＩ伝送に対応する第１目標送信電力をそれぞれ特定する。
【００７６】
ここで、区分しておいた期間、または、本開示の実施例の方法を実行する際にサブフレームに基づいて区分した期間に基づいて処理する。期間の区分において、まず、前記サブフレームに含まれる複数の短縮ＴＴＩ伝送には、時間的に連続する短縮ＴＴＩ伝送が存在するかを特定する。前記サブフレームには、時間的に連続しない短縮ＴＴＩ伝送が存在する場合、前記サブフレームを少なくとも２つの期間に区分する。ここで、各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する。
【００７７】
サブフレーム内のある期間に対し、１つの期間に２つ以上の短縮ＴＴＩ伝送が含まれると、期間に対応する第１目標送信電力の特定方式は、上記方法１の第１目標送信電力の特定方式を参照してもよく、上記各方式における処理対象の「サブフレーム」をある「期間」に変更すればよい。それぞれの期間における短縮ＴＴＩ伝送の電力は、独立に特定されるものであり、異なってもよい。１つの期間に１つの短縮ＴＴＩ伝送しか含まれない場合、直接当該短縮ＴＴＩ伝送の電力制御パラメータに基づいて、当該短縮ＴＴＩ伝送の目標送信電力を特定し、当該目標送信電力を当該短縮ＴＴＩ伝送の実送信電力、すなわち第１目標送信電力とする。
【００７８】
なお、方法２は、方法１を元に予め判断を行うことに相当する。上記の期間の区分を行うことができれば、例えば１つのサブフレーム内の複数の短縮ＴＴＩが時間的に連続しない場合、期間を区分してから処理する。上記の期間の区分が必要でなければ、例えば１つのサブフレーム内の複数の短縮ＴＴＩ伝送が時間的に連続する場合、直接方法１によって処理する。
【００７９】
ステップ３０２において、前記処理対象に対応する第１目標送信電力に基づいて、前記処理対象内の短縮ＴＴＩ伝送を送信する。
【００８０】
このステップにおいて、下記方式によって短縮ＴＴＩ伝送を送信することができる。
【００８１】
方式１：直接前記第１目標送信電力で前記短縮ＴＴＩ伝送を送信する。すなわち、当該方式では、当該サブフレーム内のすべての短縮ＴＴＩ伝送を第１目標送信電力で送信する。
【００８２】
方式２：前記処理対象内の各短縮ＴＴＩ伝送の目標送信電力を特定し、前記各短縮ＴＴＩ伝送の目標送信電力をそれぞれ前記第１目標送信電力と比較する。
【００８３】
前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくする。それから、調整後の前記第１短縮ＴＴＩ伝送の目標送信電力で前記第１短縮ＴＴＩ伝送を送信する。ここで、当該第１短縮ＴＴＩ伝送は、サブフレーム内または期間内の任意の１つの短縮ＴＴＩ伝送を指す。
【００８４】
電力調整において、前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくする。前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくする。
【００８５】
以上の記載によれば、本開示の実施例において、処理対象でＴＤＭ伝送が行われる短縮ＴＴＩの間では電力が同一になることを保証するよう、サブフレームでの処理対象に対応する短縮ＴＴＩ伝送の電力制御を行うことによって、処理対象では端末の送信電力が一定に維持することが保証され、短縮ＴＴＩ伝送の間に新規の過渡期を導入することが避けられる。したがって、本開示の実施例によれば、従来の３ＧＰＰ  ３６．１０１プロトコルで定義されている時間テンプレートで動作して電力測定を可能にする。
【００８６】
また、本実施例を基に、端末は、ステップ３０１の前に、電力調整方式を指示することに用いられる配置情報を受信する。ここの電力調整方式は、上記方法１または方法２、または方法１の方式１〜３のいずれかである。さらに、後続のステップにおいて、当該配置情報に基づいて、どのような方式で短縮ＴＴＩ伝送に対し電力調整を行うかを特定する。当該配置情報は、直接端末に対し方法１または方法２の使用を指示し、または、さらに端末に対し方法１の方式１〜３のいずれかの使用を指示する。または、具体的な応用において、端末は、予め取り決めたり設定したりする情報に基づいて、どの電力調整方式を採用するかを特定してもよい。異なる電力調整方法または方式は、異なるＩＤで区別される。具体的にどの方式で区別するかは、本開示の実施例において限定せず、端末が区別できればよい。
【００８７】
以下、本開示の実施例の方法の実現過程をいつかの実施例に関連して詳細に記載する。
【００８８】
本開示の別の実施例において、長さが４つのシンボルである短縮ＴＴＩ伝送を例とする。本開示の実施例において、仮に、端末が受信した電力調整方式を指示することに用いられる配置情報は、上記実施例の方法１で電力調整を行うことである。仮に１つのサブフレームに４つの短縮ＴＴＩ伝送が含まれ、各短縮ＴＴＩではすべてｓＰＵＳＣＨ伝送である。図４と図５を参照し、本開示の当該実施例の具体的な過程は、以下である。
【００８９】
ステップ４０１において、端末は、第１目標送信電力を特定する。
【００９０】
具体的に、このステップにおいて、端末は、１つ目のｓＰＵＳＣＨ（ｓＰＵＳＣＨ−１）に対応する電力制御パラメータに基づいて、１つ目のｓＰＵＳＣＨの目標送信電力をＰｓＰＵＳＣＨ−１と特定し、当該目標送信電力を第１目標送信電力とする。
【００９１】
計算方式は、式（１）によって示されている。
【数１】
2019527980.tif 000003
【００９２】
ステップ４０２において、端末は、ほかの短縮ＴＴＩ伝送の実送信電力を特定し、当該実送信電力に基づいて、対応する短縮ＴＴＩ伝送を送信する。
【００９３】
このステップにおいて、端末は、下記方式のいずれかによってｓＰＵＳＣＨ−２、ｓＰＵＳＣＨ−３およびｓＰＵＳＣＨ−４の実送信電力を特定することができる。
【００９４】
方式１：端末は、直接ｓＰＵＳＣＨ−２、ｓＰＵＳＣＨ−３およびｓＰＵＳＣＨ−４の実送信電力をすべてＰｓＰＵＳＣＨ−１と特定し、現在のサブフレームでの４つのｓＰＵＳＣＨを、すべてＰｓＰＵＳＣＨ−１を実送信電力として送信する。
【００９５】
この場合、端末は、式（１）およびｓＰＵＳＣＨに対応する電力制御パラメータに基づいて後続ｓＰＵＳＣＨの目標送信電力を特定しなくてもよく、直接ＰｓＰＵＳＣＨ−１を当該サブフレームで後続の各ｓＰＵＳＣＨの実送信電力としてもよい。
【００９６】
方式２：端末は、式（１）およびｓＰＵＳＣＨ−ｉに対応する電力制御パラメータに基づいて、第ｉ（ｉ＝２，３，４）個のｓＰＵＳＣＨの目標送信電力を特定してＰｓＰＵＳＣＨ−ｉを得る。それから、ＰｓＰＵＳＣＨ−ｉとＰｓＰＵＳＣＨ−１を比較する。ＰｓＰＵＳＣＨ−ｉ＝ＰｓＰＵＳＣＨ−１の場合、電力調整を行う必要がなく、直接ＰｓＰＵＳＣＨ−ｉをｓＰＵＳＣＨ−ｉの実送信電力とする。ＰｓＰＵＳＣＨ−ｉ＞ＰｓＰＵＳＣＨ−１の場合、ＰｓＰＵＳＣＨ−ｉをＰｓＰＵＳＣＨ−１までに低くし、調整後のＰｓＰＵＳＣＨ−ｉをｓＰＵＳＣＨ−ｉの実送信電力とする。ＰｓＰＵＳＣＨ−ｉ＜ＰｓＰＵＳＣＨ−１の場合、ＰｓＰＵＳＣＨ−ｉをＰｓＰＵＳＣＨ−１までに高くし、調整後のＰｓＰＵＳＣＨ−ｉをｓＰＵＳＣＨ−ｉの実送信電力とする。
【００９７】
本開示の別の実施例において、長さが４つのシンボルである短縮ＴＴＩ伝送を例とする。本開示の当該実施例において、仮に、端末が受信した電力調整方式を指示することに用いられる配置情報は、上記実施例の方法１で電力調整を行うことである。仮に１つのサブフレームに４つの短縮ＴＴＩ伝送が含まれ、前から３つの短縮ＴＴＩではすべてｓＰＵＳＣＨ伝送であり、最後の短縮ＴＴＩではｓＰＵＣＣＨ伝送である。図６と図７を参照し、本開示の当該実施例の具体的な過程は、以下である。
【００９８】
ステップ６０１において、端末は、各ｓＰＵＳＣＨに対応する電力制御パラメータに基づいて、各ｓＰＵＳＣＨの目標送信電力をＰｓＰＵＳＣＨ−１、ＰｓＰＵＳＣＨ−２、ＰｓＰＵＳＣＨ−３と特定する。
【００９９】
具体的な過程では、上記式（１）によって、各ｓＰＵＳＣＨの目標送信電力をＰｓＰＵＳＣＨ−１、ＰｓＰＵＳＣＨ−２、ＰｓＰＵＳＣＨ−３と特定することができる。
【０１００】
ステップ６０２において、端末は、ｓＰＵＣＣＨに対応する電力制御パラメータに基づいて、ｓＰＵＣＣＨの目標送信電力をＰｓＰＵＣＣＨ−１と特定する。
【０１０１】
具体的に、式（２−１）と式（２−２）によって、ｓＰＵＣＣＨの目標送信電力をＰｓＰＵＣＣＨ−１と特定することができる。
【０１０２】
【数２】
2019527980.tif 000004
【０１０３】
ステップ６０３において、端末は、第１目標送信電力を特定し、第１目標送信電力に基づいて短縮ＴＴＩ伝送を送信する。
【０１０４】
具体的に、このステップにおいて、以下方式のいずれかによって第１目標送信電力を特定することができる。
【０１０５】
方式１：端末は、電力割当プライオリティに基づいて、例えばｓＰＵＣＣＨの電力割当プライオリティが最大であると定義すると、最大電力割当プライオリティのアップリンクチャネル、すなわちｓＰＵＣＣＨ−１の目標送信電力を第１目標送信電力とする。
【０１０６】
端末は、ＰｓＰＵＳＣＨ−１、ＰｓＰＵＳＣＨ−２、ＰｓＰＵＳＣＨ−３とＰｓＰＵＣＣＨ−１の大小関係を判断する。ＰｓＰＵＳＣＨ−ｉ＝ＰｓＰＵＳＣＨ−１の場合、電力調整を行う必要がなく、直接当該ＰｓＰＵＳＣＨ−ｉをｓＰＵＳＣＨ−ｉの実送信電力とする。ＰｓＰＵＳＣＨ−１より大きい場合、ＰｓＰＵＳＣＨ−ｉをＰｓＰＵＳＣＨ−１までに低くし、調整後のＰｓＰＵＳＣＨ−ｉをｓＰＵＳＣＨ−ｉの実送信電力とする。ＰｓＰＵＳＣＨ−１より小さい場合、ＰｓＰＵＳＣＨ−ｉをＰｓＰＵＳＣＨ−１までに高くし、調整後のＰｓＰＵＳＣＨ−ｉをｓＰＵＳＣＨ−ｉの実送信電力とする（ｉ＝１、２、３）。
【０１０７】
方式２：端末は、上記４つのチャネルの目標送信電力のうちの最大値、例えばＰｓＰＵＳＣＨ−２を第１目標送信電力とする。端末は、さらに、各チャネルを電力ＰｓＰＵＳＣＨ−２で送信する。端末は、直接ｓＰＵＳＣＨ−１、ｓＰＵＳＣＨ−３、ｓＰＵＣＣＨ−１の実送信電力をすべてＰｓＰＵＳＣＨ−２と特定してもよく、または、ＰｓＰＵＳＣＨ−１、ＰｓＰＵＳＣＨ−３、ＰｓＰＵＣＣＨ−１をＰｓＰＵＳＣＨ−２の大きさまでに高くし、高くした値を対応するチャネルの実送信電力とする。
【０１０８】
方式３：端末は、上記４つのチャネルの目標送信電力のうちの最小値、例えばＰｓＰＵＳＣＨ−１を第１目標送信電力とする。端末は、さらに、各チャネルを電力ＰｓＰＵＳＣＨ−１で送信する。端末は、直接ｓＰＵＳＣＨ−２、ｓＰＵＳＣＨ−３、ｓＰＵＣＣＨ−１の実送信電力をすべてＰｓＰＵＳＣＨ−１と特定してもよく、または、ＰｓＰＵＳＣＨ−２、ＰｓＰＵＳＣＨ−３、ＰｓＰＵＣＣＨ−１をＰｓＰＵＳＣＨ−１の大きさまでに低くし、低くした値を対応するチャネルの実送信電力とする。
【０１０９】
方式４：端末は、上記４つのチャネルの目標送信電力の平均値を第１目標送信電力とし、すなわちＰ＝（ＰｓＰＵＳＣＨ−１＋ＰｓＰＵＳＣＨ−２＋ＰｓＰＵＳＣＨ−３＋ＰｓＰＵＣＣＨ−１）／４である。端末は、さらに、各チャネルを電力Ｐで送信する。端末は、直接ｓＰＵＳＣＨ−１、ｓＰＵＳＣＨ−２、ｓＰＵＳＣＨ−３、ｓＰＵＣＣＨ−１の実送信電力をすべてＰと特定してもよく、または、各チャネルの目標送信電力とＰとの大小関係を判断する。Ｐに等しい場合、電力調整を行う必要がなく、直接当該チャネルの目標送信電力を当該チャネルの実送信電力とする。Ｐより大きい場合、当該チャネルの目標送信電力をＰまでに低くし、当該チャネルの実送信電力とする。Ｐより小さい場合、当該チャネルの目標送信電力をＰまでに高くし、当該チャネルの実送信電力とする。
【０１１０】
以上の記載によれば、本開示の上記実施例において、サブフレームでＴＤＭ伝送が行われる短縮ＴＴＩの間では電力が同一になることを保証するよう、サブフレーム内の短縮ＴＴＩ伝送の電力制御を行うことによって、端末の送信電力が一定に維持することが保証され、短縮ＴＴＩ伝送の間に新規の過渡期を導入することが避けられる。したがって、本開示の実施例によれば、従来の３ＧＰＰ  ３６．１０１プロトコルで定義されている時間テンプレートで動作して電力測定を可能にする。
【０１１１】
本開示の別の実施例において、長さが２つのシンボルである短縮ＴＴＩ伝送を例とする。本開示の当該実施例において、仮に、端末が受信した電力調整方式を指示することに用いられる配置情報は、上記実施例の方法２で電力調整を行うことである。仮に１つのサブフレームに７つの短縮ＴＴＩ伝送が含まれ、１つ目の短縮ＴＴＩ伝送のみで１つのｓＰＵＳＣＨ−１伝送が存在し、３つ目、４つ目の短縮ＴＴＩ伝送ではそれぞれｓＰＵＳＣＨ−２、ｓＰＵＳＣＨ−３伝送が存在し、最後の短縮ＴＴＩでは１つのｓＰＵＣＣＨ−１伝送が存在する。図８と図９を参照し、本開示の当該実施例の具体的な過程は、以下である。
【０１１２】
ステップ８０１において、サブフレーム内の短縮ＴＴＩ伝送が時間的に連続するかによって、サブフレームを複数の期間に区分する。
【０１１３】
図９に示すように、端末は、ｓＰＵＳＣＨ−１とｓＰＵＣＣＨ−１が同一サブフレーム内の隣接短縮ＴＴＩチャネル伝送のないチャネルであると特定し、ｓＰＵＳＣＨ−１の後およびｓＰＵＣＣＨ−１の前には、過渡期としてラジオ周波数素子の電力調整に用いられるアイドルのＳＣ−ＦＤＭＡシンボルがあるため、当該２つのチャネルに対し、ほかのチャネルの電力を考慮する必要がなく、独立に電力制御を行う。端末は、ｓＰＵＳＣＨ−２とｓＰＵＳＣＨ−３を同一の期間に区分する。
【０１１４】
ステップ８０２において、端末は、各期間の第１目標送信電力を特定し、各期間に対応する第１目標送信電力によって、各期間内の短縮ＴＴＩ伝送を送信する。
【０１１５】
式（１）およびｓＰＵＳＣＨに対応する電力制御パラメータに基づいて、ｓＰＵＳＣＨ−１の目標送信電力をＰｓＰＵＳＣＨ−１と特定し、当該目標送信電力をｓＰＵＳＣＨ−１の実送信電力、すなわち第１目標送信電力とし、当該実送信電力によってｓＰＵＳＣＨ−１を送信する。
【０１１６】
式（２−１）または式（２−２）およびｓＰＵＣＣＨに対応する電力制御パラメータに基づいて、ｓＰＵＣＣＨ−１の目標送信電力をＰｓＰＵＣＣＨ−１と特定し、当該目標送信電力をｓＰＵＣＣＨ−１の実送信電力、すなわち第１目標送信電力とし、当該実送信電力によってｓＰＵＣＣＨ−１を送信する。
【０１１７】
端末は、ｓＰＵＳＣＨ−２とｓＰＵＳＣＨ−３を同一期間に区分する。当該２つのチャネルは、当該期間内において、隣接チャネルとの間に、過渡期としてラジオ周波数素子の電力調整に用いられるアイドルのＳＣ−ＦＤＭＡシンボルが存在しない。したがって、当該２つの短縮ＴＴＩ伝送の送信電力が同一であると保証する必要がある。
【０１１８】
具体的に、この期間内でどのように第１目標送信電力を特定するかは、上記実施例の方法１の任意の方式を参照して特定することができる。
【０１１９】
例えば、式（１）およびｓＰＵＳＣＨ−２に対応する電力制御パラメータに基づいて、ｓＰＵＳＣＨ−２の目標送信電力をＰｓＰＵＳＣＨ−２と特定し、当該目標送信電力をｓＰＵＳＣＨ−２とｓＰＵＳＣＨ−３の実送信電力、すなわち第１目標送信電力とし、当該実送信電力によってｓＰＵＳＣＨ−２とｓＰＵＳＣＨ−３を送信する。
【０１２０】
以上の記載によれば、本開示の実施例において、各期間でＴＤＭ伝送が行われる短縮ＴＴＩの間では電力が同一になることを保証するよう、各期間内の短縮ＴＴＩ伝送の電力制御を行うことによって、端末の送信電力が一定に維持することが保証され、短縮ＴＴＩ伝送の間に新規の過渡期を導入することが避けられる。したがって、本開示の実施例によれば、従来の３ＧＰＰ  ３６．１０１プロトコルで定義されている時間テンプレートで動作して電力測定を可能にする。
【０１２１】
なお、上記実施例において、単に４つのシンボルの短縮ＴＴＩ伝送と２つのシンボルの短縮ＴＴＩ伝送を例としたが、ほかのシンボルの長さの短縮ＴＴＩ伝送も同様であり、かつ、１つのサブフレームにおいて、ＴＤＭで異なるシンボルの長さの短縮ＴＴＩ伝送が存在する。例えば、１つ目の短縮ＴＴＩ伝送は、２つのシンボルの長さであり、２つ目の短縮ＴＴＩ伝送は、４つのシンボルの長さであり、３つ目の短縮ＴＴＩ伝送は、７つのシンボルの長さであり、電力制御過程は、上記過程と同様である。
【０１２２】
なお、本開示の実施例において、単にｃｏｍｂ方式で複数の短縮ＴＴＩ伝送が同一列のパイロット（ＤＭＲＳ）を共有することをアップリンク伝送のＤＭＲＳ設計とするが、ほかのアップリンク伝送のＤＭＲＳ設計が本開示の電力制御に影響を与えない。上記実施例におけるほかの電力割当プライオリティについて、例えばＵＣＩなどの定義方式とチャネルプライオリティの定義方式の実現過程は、類似しているため、繰り返して記載しない。
【０１２３】
なお、上記の１つのサブフレームでの送信電力の一定を保証することは、データシンボルの送信電力およびパイロットシンボルの送信電力が含まれる。
【０１２４】
本開示の実施例においてｃｏｍｂ方式でパイロットを伝送するのであれば、同一ＳＣ−ＦＤＭＡシンボルでｃｏｍｂ方式でパイロットの複数の短縮ＴＴＩ伝送を伝送するが、前記複数の短縮ＴＴＩ伝送のパイロットの当該ＳＣ−ＦＤＭＡシンボルでの電力合計は、データシンボルとは同一である。すなわち、前記各短縮ＴＴＩ伝送に対応するパイロットの当該ＳＣ−ＦＤＭＡシンボルの各ＲＥでの送信電力は、そのデータの各ＲＥでの送信電力ＰｄａｔａＲＥ＝Ｐ／Ｂ（Ｐ：１つのＳＣ−ＦＤＭＡシンボルでのデータの送信電力合計；Ｂ：１つのＳＣ−ＦＤＭＡシンボルでデータが占用するＲＥ数）とは同一であれば、各短縮ＴＴＩ伝送のパイロットの当該ＳＣ−ＦＤＭＡシンボルでの電力の和は、ＰｄａｔａＲＥ＊Ｂ／Ａ＝Ｐ／Ａである。Ａは、ｃｏｍｂの数である（すなわち、同一ＲＢまたは１２個のＲＥのうち、複数の短縮ＴＴＩをサポートすることのできるＤＭＲＳ（Ｄｅ  Ｍｏｄｕｌａｔｉｏｎ  Ｒｅｆｅｒｅｎｃｅ  Ｓｉｇｎａｌ）は、異なる周波数領域開始位置、同一の周波数領域マッピング間隔で同一のＳＣ−ＦＤＭＡシンボルリソースを共有する。）。すなわち、データの１つのＳＣ−ＦＤＭＡシンボルでの電力合計の１／Ａであり、Ａ個の同一送信電力の前記短縮ＴＴＩ伝送のＤＭＲＳの当該ＳＣ−ＦＤＭＡシンボルでの電力の和は、Ａ＊１／Ａ＊Ｐ＝Ｐである。同一ＳＣ−ＦＤＭＡシンボルを共有してＤＭＲＳを伝送する短縮ＴＴＩ伝送の一部にデータ伝送が行われない場合、ＤＭＲＳを搬送するＳＣ−ＦＤＭＡシンボルの送信電力は、１つのＳＣ−ＦＤＭＡシンボルでのデータの送信電力より小さくなる。この場合、伝送が行われる短縮ＴＴＩ伝送のＤＭＲＳの送信電力を高くすることによって、ＤＭＲＳ  ＳＣ−ＦＤＭＡシンボルの送信電力が、１つのＳＣ−ＦＤＭＡシンボルでのデータの送信電力とは同一になることを保証する。
【０１２５】
非ｃｏｍｂ方式でＤＭＲＳを共有するのであれば、例えば複数の短縮ＴＴＩ伝送のＤＭＲＳがＣＤＭによって同一のＳＣ−ＦＤＭＡシンボルで伝送されると、前記複数の短縮ＴＴＩ伝送の各短縮ＴＴＩ伝送のＤＭＲＳは、すべて電力を低くする必要がある。例えばデータ送信電力Ｐの１／Ｃ（Ｃ：ＣＤＭによって同一ＳＣ−ＦＤＭＡシンボルでパイロットを共有して伝送される短縮ＴＴＩの数）までに低くすることによって、複数の短縮ＴＴＩのパイロットの同一ＳＣ−ＦＤＭＡシンボルでの電力の和が、データの送信電力とは同一になることを保証する。
【０１２６】
図１０に示す本開示の実施例の短縮ＴＴＩ伝送の電力制御装置は、１つのサブフレームに複数の短縮伝送時間間隔ＴＴＩ伝送が含まれる場合、前記サブフレームでの処理対象に対応する第１目標送信電力を特定することに用いられる特定モジュール９０１と、前記処理対象に対応する第１目標送信電力に基づいて、前記処理対象内の短縮ＴＴＩ伝送を送信することに用いられる送信モジュール９０２とを含む。
【０１２７】
ここで、前記処理対象の意味は、前記実施例とは同一である。上述したように、第１目標送信電力の特定方式は、３種類ある。
【０１２８】
ここで、前記特定モジュール９０１は、前記処理対象内の１つ目の短縮ＴＴＩ伝送の目標送信電力を特定することに用いられる第１特定サブモジュールと、前記処理対象内の１つ目の短縮ＴＴＩ伝送の目標送信電力を、前記処理対象に対応する第１目標送信電力として特定することに用いられる第２特定サブモジュールとを含む。
【０１２９】
ここで、前記特定モジュール９０１は、前記処理対象内のすべての短縮ＴＴＩ伝送の目標送信電力を特定することに用いられる第３特定サブモジュールと、前記処理対象内のすべての短縮ＴＴＩ伝送の目標送信電力のうちの最大値または最小値または平均値を、前記処理対象に対応する第１目標送信電力として特定することに用いられる第４特定サブモジュールとを含む。
【０１３０】
ここで、前記特定モジュール９０１は、具体的に、前記処理対象内の各短縮ＴＴＩ伝送の電力割当プライオリティに基づいて、前記処理対象に対応する第１目標送信電力を特定することに用いられる。
【０１３１】
ここで、前記電力割当プライオリティは、チャネルプライオリティ、アップリンク制御情報ＵＣＩタイププライオリティ、サービスタイププライオリティのいずれかまたはその組み合わせを含む。この場合、前記特定モジュール９０１は、具体的に、前記処理対象内の最大または最小電力割当プライオリティの短縮ＴＴＩ伝送の目標送信電力を、前記処理対象に対応する第１目標送信電力とすることに用いられる。
【０１３２】
この場合、同一電力割当プライオリティの短縮ＴＴＩ伝送が複数存在する場合、前記特定モジュール９０１は、具体的に、最大または最小電力割当プライオリティの短縮ＴＴＩ伝送のうち最大目標送信電力を、前記処理対象に対応する第１目標送信電力とすることに用いられる。
【０１３３】
本開示の実施例において、下記のように電力割当プライオリティを定義する。前記電力割当プライオリティが前記チャネルプライオリティである場合、ｓＰＵＳＣＨのプライオリティは、ｓＰＵＣＣＨのプライオリティより高く、または、ｓＰＵＣＣＨのプライオリティは、ｓＰＵＳＣＨのプライオリティより高く、または、帯域幅の大きいチャネルのプライオリティは、帯域幅の小さいチャネルのプライオリティより高い。
【０１３４】
前記電力割当プライオリティが前記アップリンク制御情報ＵＣＩタイププライオリティである場合、ＵＣＩを含むチャネルのプライオリティは、ＵＣＩを含まないチャネルのプライオリティより高い。ここで、前記ＵＣＩを含むチャネルには、アップリンクスケジューリングリクエストＳＲおよび／または肯定確認／否定確認ＡＣＫ／ＮＡＣＫを含むチャネルのプライオリティは、周期的チャネル状態情報ＣＳＩを含むチャネルのプライオリティより高い。
【０１３５】
電力割当プライオリティが前記サービスタイププライオリティである場合、サービス品質Ｑｏｓの高いサービスタイプまたは遅延要求の高いサービスタイプのプライオリティが高い。
【０１３６】
前記電力割当プライオリティがチャネルプライオリティとＵＣＩタイププライオリティの組み合わせである場合、ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い。または、ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い。
【０１３７】
本開示の実施例において、前記目標送信電力は、該当する短縮ＴＴＩ伝送に対応する電力制御パラメータに基づいて特定された送信電力である。複数の短縮ＴＴＩ伝送が時間領域でオーバーラップしまたは一部オーバーラップする場合、前記目標送信電力は、端末の最大送信電力によって、時間領域でオーバーラップする複数の短縮ＴＴＩ伝送の目標送信電力を調整した目標送信電力である。または、複数の短縮ＴＴＩ伝送が周波数領域で同一搬送波または異なる搬送波で周波数分割伝送される場合、前記目標送信電力は、チャネルプライオリティおよび／またはサービスプライオリティに基づいて選択した１つの短縮ＴＴＩ伝送の目標送信電力である。
【０１３８】
ここで、前記送信モジュール９０２は、具体的に、前記処理対象内のすべての短縮ＴＴＩ伝送に対し、直接前記第１目標送信電力で前記短縮ＴＴＩ伝送を送信することに用いられる。
【０１３９】
または、前記送信モジュール９０２は、前記処理対象内の各短縮ＴＴＩ伝送の目標送信電力を特定することに用いられる第５特定サブモジュールと、前記各短縮ＴＴＩ伝送の目標送信電力をそれぞれ前記第１目標送信電力と比較することに用いられる比較サブモジュールと、前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくすることに用いられる調整サブモジュールと、調整後の前記第１短縮ＴＴＩ伝送の目標送信電力で前記第１短縮ＴＴＩ伝送を送信することに用いられる送信サブモジュールとを含む。
【０１４０】
前記調整サブモジュールは、具体的に、前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくすることと、前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくすることに用いられる。
【０１４１】
前記サブフレームでの処理対象は、前記サブフレーム内の任意の期間である。図１１に示すように、前記装置は、前記サブフレームに含まれる複数の短縮ＴＴＩ伝送には、時間的に連続する短縮ＴＴＩ伝送が存在するかを特定することに用いられる判断モジュール９０３と、前記サブフレームには、時間的に連続しない短縮ＴＴＩ伝送が存在する場合、前記サブフレームを少なくとも２つの期間に区分することに用いられる区分モジュール９０４とをさらに含む。各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する。
【０１４２】
図１２に示すように、前記装置は、電力調整方式を指示することに用いられる配置情報を受信することに用いられる受信モジュール９０５をさらに含む。前記特定モジュール９０１は、具体的に、前記電力調整方式を指示することに用いられる配置情報に基づいて、前記処理対象に対応する第１目標送信電力を特定することに用いられる。
【０１４３】
本開示の実施例において、前記短縮ＴＴＩ伝送は、ｓＰＵＳＣＨおよび／またはｓＰＵＣＣＨおよび／またはサウンディング参照信号ＳＲＳを含む。
【０１４４】
本開示に記載した装置の動作原理は、前記方法実施例の記載を参照されたく、かつ当該装置が端末に位置する。
【０１４５】
以上の記載によれば、本開示の実施例において、処理対象でＴＤＭ伝送が行われる短縮ＴＴＩの間では電力が同一になることを保証するよう、サブフレームでの処理対象に対応する短縮ＴＴＩ伝送の電力制御を行うことによって、処理対象では端末の送信電力が一定に維持することが保証され、短縮ＴＴＩ伝送の間に新規の過渡期を導入することが避けられる。したがって、本開示の実施例によれば、従来の３ＧＰＰ  ３６．１０１プロトコルで定義されている時間テンプレートで動作して電力測定を可能にする。
【０１４６】
本開示の実施例のデータ処理装置は、プロセッサと、バスインタフェースを介して前記プロセッサに接続され、前記プロセッサによる操作実行に用いられるプログラムとデータを記憶することに用いられるメモリとを含む。プロセッサは、前記メモリに格納されているプログラムとデータを呼び出して実行すると、下記の機能モジュールまたはユニットを実現する。特定モジュールは、１つのサブフレームに複数の短縮伝送時間間隔ＴＴＩ伝送が含まれる場合、前記サブフレームでの処理対象に対応する第１目標送信電力を特定することに用いられる。送信モジュールは、前記処理対象に対応する第１目標送信電力に基づいて、前記処理対象内の短縮ＴＴＩ伝送を送信することに用いられる。
【０１４７】
なお、本開示の実施例の装置は、上記の方法実施例の短縮ＴＴＩ伝送の電力制御方法を実現することのできる装置である。したがって、上記の方法実施例の短縮ＴＴＩ伝送の電力制御方法のすべての実施例は、当該実施例に適用することができ、かつ同一または類似なメリットを有することもできる。
【０１４８】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各配置部分の相互間の結合や直接結合や通信接続は、インタフェース、装置またはユニットを介した間接結合や通信接続であってもよく、電気的、機械的、または他の形式であってもよい。
【０１４９】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１５０】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１５１】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
2019527980.tif 000005
【図２】
2019527980.tif 000006
【図３】
2019527980.tif 000007
【図４】
2019527980.tif 000008
【図５】
2019527980.tif 000009
【図６】
2019527980.tif 000010
【図７】
2019527980.tif 000011
【図８】
2019527980.tif 000012
【図９】
2019527980.tif 000013
【図１０】
2019527980.tif 000014
【図１１】
2019527980.tif 000015
【図１２】
2019527980.tif 000016
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
１つのサブフレームに複数の短縮伝送時間間隔（ＴＴＩ）伝送が含まれる場合、前記サブフレームでの処理対象に対応する第１目標送信電力を特定することと、
前記処理対象に対応する第１目標送信電力に基づいて、前記処理対象内の短縮ＴＴＩ伝送を送信することとを含む短縮ＴＴＩ伝送の電力制御方法。
【請求項２】
前記サブフレームでの処理対象に対応する第１目標送信電力を特定することは、
前記処理対象内の１つ目の短縮ＴＴＩ伝送の目標送信電力を特定し、
前記処理対象内の１つ目の短縮ＴＴＩ伝送の目標送信電力を、前記処理対象に対応する第１目標送信電力として特定する第一方式、
前記処理対象内のすべての短縮ＴＴＩ伝送の目標送信電力を特定し、
前記処理対象内のすべての短縮ＴＴＩ伝送の目標送信電力のうちの最大値または最小値または平均値を、前記処理対象に対応する第１目標送信電力として特定する第二方式、および、
前記処理対象内の各短縮ＴＴＩ伝送の電力割当プライオリティに基づいて、前記処理対象に対応する第１目標送信電力を特定する第三方式の少なくともいずれかの方式を含む請求項１に記載の方法。
【請求項３】
前記電力割当プライオリティは、チャネルプライオリティ、アップリンク制御情報ＵＣＩタイププライオリティ、サービスタイププライオリティのいずれかまたはその組み合わせを含み、および／または、
前記処理対象内の各短縮ＴＴＩ伝送の電力割当プライオリティに基づいて、前記処理対象に対応する第１目標送信電力を特定することは、
前記処理対象内の最大または最小電力割当プライオリティの短縮ＴＴＩ伝送の目標送信電力を、前記処理対象に対応する第１目標送信電力とすることを含む請求項２に記載の方法。
【請求項４】
同一電力割当プライオリティの短縮ＴＴＩ伝送が複数存在する場合、前記処理対象内の最大または最小電力割当プライオリティの短縮ＴＴＩ伝送の目標送信電力を、前記処理対象に対応する第１目標送信電力とすることは、
最大または最小電力割当プライオリティの短縮ＴＴＩ伝送のうち最大目標送信電力を、前記処理対象に対応する第１目標送信電力とすることを含む請求項３に記載の方法。
【請求項５】
前記電力割当プライオリティが前記チャネルプライオリティである場合、
ｓＰＵＳＣＨのプライオリティは、ｓＰＵＣＣＨのプライオリティより高く、
または、ｓＰＵＣＣＨのプライオリティは、ｓＰＵＳＣＨのプライオリティより高く、
または、帯域幅の大きいチャネルのプライオリティは、帯域幅の小さいチャネルのプライオリティより高く、
あるいは、
前記電力割当プライオリティが前記アップリンク制御情報（ＵＣＩ）タイププライオリティである場合、
ＵＣＩを含むチャネルのプライオリティは、ＵＣＩを含まないチャネルのプライオリティより高く、
ここで、前記ＵＣＩを含むチャネルには、アップリンクスケジューリングリクエスト（ＳＲ）および／または肯定確認／否定確認（ＡＣＫ／ＮＡＣＫ）を含むチャネルのプライオリティは、周期的チャネル状態情報（ＣＳＩ）を含むチャネルのプライオリティより高く、
あるいは、
電力割当プライオリティが前記サービスタイププライオリティである場合、
サービス品質（Ｑｏｓ）の高いサービスタイプまたは遅延要求の高いサービスタイプのプライオリティが高く、
あるいは、
前記電力割当プライオリティがチャネルプライオリティとＵＣＩタイププライオリティの組み合わせである場合、
ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高く、
または、ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い請求項３に記載の方法。
【請求項６】
前記目標送信電力は、該当する短縮ＴＴＩ伝送に対応する電力制御パラメータに基づいて特定された送信電力であり、
複数の短縮ＴＴＩ伝送が時間領域でオーバーラップしまたは一部オーバーラップする場合、前記目標送信電力は、端末の最大送信電力によって、時間領域でオーバーラップする複数の短縮ＴＴＩ伝送の目標送信電力を調整した目標送信電力であり、
または、複数の短縮ＴＴＩ伝送が周波数領域で同一搬送波または異なる搬送波で周波数分割伝送される場合、前記目標送信電力は、チャネルプライオリティおよび／またはサービスプライオリティに基づいて選択した１つの短縮ＴＴＩ伝送の目標送信電力である請求項２〜４のいずれか一項に記載の方法。
【請求項７】
前記処理対象に対応する第１目標送信電力に基づいて、前記処理対象内の短縮ＴＴＩ伝送を送信することは、
前記処理対象内のすべての短縮ＴＴＩ伝送に対し、直接前記第１目標送信電力で前記短縮ＴＴＩ伝送を送信することを含み、または、
前記処理対象に対応する第１目標送信電力に基づいて、前記処理対象内の短縮ＴＴＩ伝送を送信することは、
前記処理対象内の各短縮ＴＴＩ伝送の目標送信電力を特定することと、
前記各短縮ＴＴＩ伝送の目標送信電力をそれぞれ前記第１目標送信電力と比較することと、
前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくすることと、
調整後の前記第１短縮ＴＴＩ伝送の目標送信電力で前記第１短縮ＴＴＩ伝送を送信することとを含み、
前記第１短縮ＴＴＩ伝送の目標送信電力を調整することは、
前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくすることと、
前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくすることとを含む請求項１〜５のいずれか一項に記載の方法。
【請求項８】
前記短縮ＴＴＩ伝送は、ｓＰＵＳＣＨおよび／またはｓＰＵＣＣＨおよび／またはサウンディング参照信号（ＳＲＳ）を含み、
前記サブフレームでの処理対象は、前記サブフレームであり、または、
前記サブフレームでの処理対象は、前記サブフレーム内の任意の期間であり、
前記サブフレームでの処理対象に対応する第１目標送信電力を特定する前に、
前記サブフレームに含まれる複数の短縮ＴＴＩ伝送には、時間的に連続する短縮ＴＴＩ伝送が存在するかを特定することと、
前記サブフレームには、時間的に連続しない短縮ＴＴＩ伝送が存在する場合、前記サブフレームを少なくとも２つの期間に区分することとをさらに含み、
各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する請求項１〜５のいずれか一項に記載の方法。
【請求項９】
前記処理対象に対応する第１目標送信電力を特定する前に、
電力調整方式を指示することに用いられる配置情報を受信することをさらに含み、
前記処理対象に対応する第１目標送信電力を特定することは、
前記電力調整方式を指示することに用いられる配置情報に基づいて、前記処理対象に対応する第１目標送信電力を特定することである請求項１〜５のいずれか一項に記載の方法。
【請求項１０】
１つのサブフレームに複数の短縮伝送時間間隔ＴＴＩ伝送が含まれる場合、前記サブフレームでの処理対象に対応する第１目標送信電力を特定することに用いられる特定モジュールと、
前記処理対象に対応する第１目標送信電力に基づいて、前記処理対象内の短縮ＴＴＩ伝送を送信することに用いられる送信モジュールとを含む短縮ＴＴＩ伝送の電力制御装置。
【請求項１１】
前記特定モジュールは、
前記処理対象内の１つ目の短縮ＴＴＩ伝送の目標送信電力を特定することに用いられる第１特定サブモジュールと、
前記処理対象内の１つ目の短縮ＴＴＩ伝送の目標送信電力を、前記処理対象に対応する第１目標送信電力として特定することに用いられる第２特定サブモジュールとを含み、
あるいは、
前記特定モジュールは、
前記処理対象内のすべての短縮ＴＴＩ伝送の目標送信電力を特定することに用いられる第３特定サブモジュールと、
前記処理対象内のすべての短縮ＴＴＩ伝送の目標送信電力のうちの最大値または最小値または平均値を、前記処理対象に対応する第１目標送信電力として特定することに用いられる第４特定サブモジュールとを含み、
あるいは、
前記特定モジュールは、
前記処理対象内の各短縮ＴＴＩ伝送の電力割当プライオリティに基づいて、前記処理対象に対応する第１目標送信電力を特定することに用いられる請求項１０に記載の装置。
【請求項１２】
前記電力割当プライオリティは、チャネルプライオリティ、アップリンク制御情報（ＵＣＩ）タイププライオリティ、サービスタイププライオリティのいずれかまたはその組み合わせを含み、および／または、
前記特定モジュールは、
前記処理対象内の最大または最小電力割当プライオリティの短縮ＴＴＩ伝送の目標送信電力を、前記処理対象に対応する第１目標送信電力とすることに用いられる請求項１１に記載の装置。
【請求項１３】
同一電力割当プライオリティの短縮ＴＴＩ伝送が複数存在する場合、前記特定モジュールは、
最大または最小電力割当プライオリティの短縮ＴＴＩ伝送のうち最大目標送信電力を、前記処理対象に対応する第１目標送信電力とすることに用いられる請求項１２に記載の装置。
【請求項１４】
前記電力割当プライオリティが前記チャネルプライオリティである場合、
ｓＰＵＳＣＨのプライオリティは、ｓＰＵＣＣＨのプライオリティより高く、
または、ｓＰＵＣＣＨのプライオリティは、ｓＰＵＳＣＨのプライオリティより高く、
または、帯域幅の大きいチャネルのプライオリティは、帯域幅の小さいチャネルのプライオリティより高く、
あるいは、
前記電力割当プライオリティが前記アップリンク制御情報（ＵＣＩ）タイププライオリティである場合、
ＵＣＩを含むチャネルのプライオリティは、ＵＣＩを含まないチャネルのプライオリティより高く、
ここで、前記ＵＣＩを含むチャネルには、アップリンクスケジューリングリクエスト（ＳＲ）および／または肯定確認／否定確認（ＡＣＫ／ＮＡＣＫ）を含むチャネルのプライオリティは、周期的チャネル状態情報（ＣＳＩ）を含むチャネルのプライオリティより高く、
あるいは、
電力割当プライオリティが前記サービスタイププライオリティである場合、
サービス品質（Ｑｏｓ）の高いサービスタイプまたは遅延要求の高いサービスタイプのプライオリティが高く、
あるいは、
前記電力割当プライオリティがチャネルプライオリティとＵＣＩタイププライオリティの組み合わせである場合、
ＵＣＩを含むｓＰＵＳＣＨのプライオリティ＞ｓＰＵＣＣＨのプライオリティ＞ＵＣＩを含まないｓＰＵＳＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高く、
または、ＵＣＩを含むｓＰＵＳＣＨのプライオリティ＞ＵＣＩを含まないｓＰＵＳＣＨのプライオリティ＞ｓＰＵＣＣＨのプライオリティであり、ＳＲおよび／またはＡＣＫ／ＮＡＣＫを含むｓＰＵＳＣＨのプライオリティは、周期的ＣＳＩを含むｓＰＵＳＣＨのプライオリティより高く、ＳＲおよび／またはＡＣＫ／ＮＡＣＫを含むｓＰＵＣＣＨのプライオリティは、周期的ＣＳＩを含むｓＰＵＣＣＨのプライオリティより高い請求項１２に記載の装置。
【請求項１５】
前記目標送信電力は、該当する短縮ＴＴＩ伝送に対応する電力制御パラメータに基づいて特定された送信電力であり、
複数の短縮ＴＴＩ伝送が時間領域でオーバーラップしまたは一部オーバーラップする場合、前記目標送信電力は、端末の最大送信電力によって、時間領域でオーバーラップする複数の短縮ＴＴＩ伝送の目標送信電力を調整した目標送信電力であり、
または、複数の短縮ＴＴＩ伝送が周波数領域で同一搬送波または異なる搬送波で周波数分割伝送される場合、前記目標送信電力は、チャネルプライオリティおよび／またはサービスプライオリティに基づいて選択した１つの短縮ＴＴＩ伝送の目標送信電力である請求項１１〜１３のいずれか一項に記載の装置。
【請求項１６】
前記送信モジュールは、
前記処理対象内のすべての短縮ＴＴＩ伝送に対し、直接前記第１目標送信電力で前記短縮ＴＴＩ伝送を送信することに用いられ、または、
前記送信モジュールは、
前記処理対象内の各短縮ＴＴＩ伝送の目標送信電力を特定することに用いられる第５特定サブモジュールと、
前記各短縮ＴＴＩ伝送の目標送信電力をそれぞれ前記第１目標送信電力と比較することに用いられる比較サブモジュールと、
前記各短縮ＴＴＩ伝送のうちの任意の第１短縮ＴＴＩ伝送の目標送信電力が前記第１目標送信電力とは異なるのであれば、前記第１短縮ＴＴＩ伝送の目標送信電力を調整し、調整後の前記第１短縮ＴＴＩ伝送の目標送信電力と前記第１目標送信電力とを等しくすることに用いられる調整サブモジュールと、
調整後の前記第１短縮ＴＴＩ伝送の目標送信電力で前記第１短縮ＴＴＩ伝送を送信することに用いられる送信サブモジュールとを含み、
前記調整サブモジュールは、
前記第１短縮ＴＴＩ伝送の目標送信電力が前記第１目標送信電力より低いのであれば、前記第１短縮ＴＴＩ伝送の目標送信電力を高く調整し、高く調整された前記第１短縮ＴＴＩ伝送の目標送信電力と前記第１目標送信電力とを等しくすることと、
前記第１短縮ＴＴＩ伝送の目標送信電力が前記第１目標送信電力より高いのであれば、前記第１短縮ＴＴＩ伝送の目標送信電力を低く調整し、低く調整された前記第１短縮ＴＴＩ伝送の目標送信電力と前記第１目標送信電力とを等しくすることに用いられる請求項１０〜１４のいずれか一項に記載の装置。
【請求項１７】
前記短縮ＴＴＩ伝送は、ｓＰＵＳＣＨおよび／またはｓＰＵＣＣＨおよび／またはサウンディング参照信号（ＳＲＳ）を含み、
前記サブフレームでの処理対象は、前記サブフレームであり、または、
前記サブフレームでの処理対象は、前記サブフレーム内の任意の期間であり、
前記サブフレームに含まれる複数の短縮ＴＴＩ伝送には、時間的に連続する短縮ＴＴＩ伝送が存在するかを特定することに用いられる判断モジュールと、
前記サブフレームには、時間的に連続しない短縮ＴＴＩ伝送が存在する場合、前記サブフレームを少なくとも２つの期間に区分することに用いられる区分モジュールとをさらに含み、
各期間に１つまたは複数の短縮ＴＴＩ伝送が含まれ、前記期間に複数の短縮ＴＴＩ伝送が含まれる場合、前記期間に含まれる複数の短縮ＴＴＩ伝送が時間的に連続する請求項１０〜１４のいずれか一項に記載の装置。
【請求項１８】
電力調整方式を指示することに用いられる配置情報を受信することに用いられる受信モジュールをさらに含み、
前記特定モジュールは、
前記電力調整方式を指示することに用いられる配置情報に基づいて、前記処理対象に対応する第１目標送信電力を特定することに用いられる請求項１０〜１４のいずれか一項に記載の装置。
【国際調査報告】
2019527980.tif 000017
2019527980.tif 000018
2019527980.tif 000019
2019527980.tif 000020
2019527980.tif 000021
2019527980.tif 000022